(57)【特許請求の範囲】
【請求項１】
ワイヤハーネスに設けられ、複数の被覆電線の一端部の被覆を剥いで露出させた導体端部同士が前記複数の被覆電線を同じ向きに束ねた状態で接続され、それらの接続された前記導体端部同士を覆うように絶縁被覆材が前記複数の被覆電線の一端部に設けられて構成されたボンダーを、複数、収容保持可能なボンダー保持構造であって、
下方から挿入される複数個の前記ボンダーをその周囲に配置された複数の対向部材により挾持して保持可能なボンダー挾持溝と、該ボンダー挾持溝の上を覆って前記ボンダー挾持溝内への上方からの液体の浸入を防止する傘部と、を備えた保持具により、前記ワイヤハーネスに設けられた複数個の前記ボンダーを収容保持することを特徴とするボンダー保持構造。
【請求項２】
前記保持具の外周面に係止部材を設けると共に、
前記ワイヤハーネスの配索経路に配置される他の部品保持部材には、前記係止部材に係合する係合手段を設け、
前記保持具を、前記ワイヤハーネスの配索経路上の前記部品保持部材に連結固定することを特徴とする請求項１記載のボンダー保持構造。
【請求項３】
前記ボンダー挾持溝が開口する前記保持具の下面には下方に延びる結束用軸部材が連設されており、前記ボンダー挾持溝に収容された前記ボンダーが前記結束用軸部材に結束固定されることを特徴とする請求項１又は２記載のボンダー保持構造。
【発明の詳細な説明】
【技術分野】
【０００１】
本発明は、車両等に配索されるワイヤハーネスに設けられたボンダーを収容保持するボンダー保持構造に関し、特に、前記ボンダーを収容保持する作業の手間を軽減すると同時に、処理コストを低減するための改良に関する。
【背景技術】
【０００２】
車両等に配索されるワイヤハーネスは、図９（ａ）に示すように、その幹線１上の適宜箇所で、支線２Ａ，２Ｂが分岐形成される。それぞれの支線２Ａ，２Ｂは、複数本の電線３，３……群により構成されており、支線毎に、テープ巻き等によって構成している電線３，３……群を束ねている。また、接続先が未定の支線２Ａ，２Ｂの場合は、構成している各電線３，３……の端末の被覆を剥いで露出させた導体端部４，４，……同士を、半田付けや、抵抗溶接や、圧着端子で接続して一体化させた集中接続端５Ａ，５Ｂを形成している。
【０００３】
なお、集中接続端５Ａ，５Ｂは、単に電線３，３……同士を接続するための目的で、各電線３，３……の端末の被覆を剥いで露出させた導体端部４，４，……同士を接続して形成されることもある。導体端部４，４……は、絶縁保護部材７により被覆されて外部と絶縁性が保たれている。
【０００４】
自動車関連業界では、前述のように複数本の電線３，３……の導体端部４，４，……同士を接続して一体化させた集中接続端５Ａ，５Ｂを、絶縁保護部材７で被覆したものを『ボンダー』又は『スプライス部』と呼んでいる。
【０００５】
このようなボンダー６Ａ，６Ｂを有するワイヤハーネスでは、各ボンダー６Ａ，６Ｂが周囲の金属などと不用意に接触しないように固定するボンダー保持構造が必要になる。そして、このようなボンダー保持構造には、ボンダー６Ａ，６Ｂの被水による汚損を防止するための防水対策も望まれる。
【０００６】
従来のボンダー保持構造では、防水対策としては、図９（ａ）に示すように、各ボンダー６Ａ，６Ｂ毎に個別に絶縁被覆部材７としての塩化ビニル製のキャップ７を被冠装着する構造が提案されている。また、キャップ７内に防水材を充填してボンダー６Ａ，６Ｂの防水処理をすることもある（例えば、下記特許文献１、特許文献２参照）。
【０００７】
また、各ボンダー６Ａ，６Ｂを固定する構造としては、図９（ａ）に示すように、ボンダー６Ａ，６Ｂの周囲に位置する電気接続箱等の底壁１１に前記キャップ７を押し込み可能な貫通孔１３Ａ，１３Ｂを形成しておいて、図９（ｂ）に示すように、キャップ７の端部７ａが貫通孔１３Ａ，１３Ｂの縁に係合することで、抜け止めする構成等が提案されている（例えば、下記特許文献１）。
【０００８】
【特許文献１】特開２０００−２５１９６２号公報
【特許文献２】特開２００５−１０２３６７号公報
【発明の開示】
【発明が解決しようとする課題】
【０００９】
ところが、前述のように、個別にキャップ７を取り付けた各ボンダー６Ａ，６Ｂ毎に個別に防水処理する従来のボンダー保持構造では、ボンダーの数が多い場合には、多大な手間がかかり、ボンダーの処理作業が遅延するという問題が生じた。
また、処理作業の所要時間の増大がコストアップを招くという問題も生じた。
【００１０】
更に、ボンダー６Ａ，６Ｂを固定するために、周辺の電気接続箱等の底壁１１に貫通孔１３Ａ，１３Ｂを空けておくボンダー保持構造では、これらの貫通孔１３Ａ，１３Ｂが電気接続箱等の内部の防水性を低下させるおそれがあった。
【００１１】
本発明の目的は、上記課題を解消することに係り、ボンダーの数が多い場合でも、防水処理に手間がかからず、短時間で簡単に処理することができ、しかも、周辺の電気接続箱等の防水性に影響を及ぼすこともなく、多数のボンダーを安価に、且つ迅速に処理することのできるボンダー保持構造を提供することにある。
【課題を解決するための手段】
【００１２】
本発明の上記目的は、下記構成により達成される。
（１）  ワイヤハーネスに設けられ、複数の被覆電線の一端部の被覆を剥いで露出させた導体端部同士が前記複数の被覆電線を同じ向きに束ねた状態で接続され、それらの接続された前記導体端部同士を覆うように絶縁被覆材が前記複数の被覆電線の一端部に設けられて構成されたボンダーを、複数、収容保持可能なボンダー保持構造であって、
下方から挿入される複数個の前記ボンダーをその周囲に配置された複数の対向部材により挾持して保持可能なボンダー挾持溝と、該ボンダー挾持溝の上を覆って前記ボンダー挾持溝内への上方からの液体の浸入を防止する傘部と、を備えた保持具により、前記ワイヤハーネスに設けられた複数個の前記ボンダーを収容保持することを特徴とするボンダー保持構造。
【００１３】
（２）  前記保持具の外周面に係止部材を設けると共に、
前記ワイヤハーネスの配索経路に配置される他の部品保持部材には、前記係止部材に係合する係合手段を設け、
前記保持具を、前記ワイヤハーネスの配索経路上の前記部品保持部材に連結固定することを特徴とする前記（１）記載のボンダー保持構造。
【００１４】
（３）  前記ボンダー挾持溝が開口する前記保持具の下面には下方に延びる結束用軸部材が連設されており、前記ボンダー挾持溝に収容された前記ボンダーが前記結束用軸部材に結束固定されることを特徴とする前記（１）又は（２）記載のボンダー保持構造。
【発明の効果】
【００１５】
前記（１）の本発明によるボンダー保持構造によれば、ワイヤハーネスに設けられた複数個のボンダーは、保持具に装備したボンダー挾持溝に挿入することにより、一括して挾持され、保持される。
【００１６】
そして、保持具には、前記ボンダー挾持溝の上を覆う傘部が備えられており、ボンダー挾持溝内へ挿入された複数個のボンダーは、保持具の上に落下してくる水滴等の液体に対して、前記傘部により一括して防水される。
【００１７】
即ち、複数個のボンダーは、個別に防水処理をしなくても、傘部により一括して防水性が確保されるため、ボンダーの数が多い場合でも、防水処理に手間がかからず、短時間で簡単に処理することができる。
【００１８】
しかも、各ボンダーを保持するボンダー挾持溝は、専用の保持具に装備されたもので、周辺の電気接続箱等に保持用の貫通孔を空ける必要が無くなるため、周辺の電気接続箱等の防水性に影響を及ぼすこともない。
【００１９】
以上により、上記のボンダー保持構造によれば、多数のボンダーを安価に、且つ迅速に、防水性を備えた収容状態に固定処理することができる。
【００２０】
また、前記（２）の本発明によるボンダー保持構造によれば、保持具がワイヤハーネス配索経路の近傍に容易に固定されるので、保持具が宙づり状態に垂れ下がることがない。
【００２１】
また、前記（３）の本発明によるボンダー保持構造によれば、保持具上でのボンダーの保持強度が向上し、例えば、車両走行時の振動その他の要因によって、外部からワイヤハーネスの幹線や支線に張力や衝撃力が作用する場合でも、その張力や衝撃力によってボンダーがボンダー挾持溝から抜け落ちることを防止でき、各ボンダーを収容保持する性能の信頼性を向上させることができる。
【発明を実施するための最良の形態】
【００２２】
以下、本発明に係るボンダー保持構造の好適な実施の形態について、図面を参照して詳細に説明する。
【００２３】
（第１実施形態）
図１は本発明に係るボンダー保持構造で使用する保持具の第１実施形態の正面図、図２は図１に示した保持具の平面図、図３は図１のＡ矢視図、図４は図２のＢ−Ｂ断面図、図５は図１に示した保持具が連結固定される部品保持部材の構成を示す斜視図である。
【００２４】
この第１実施形態のボンダー保持構造は、図９（ａ）に示したように、ワイヤハーネスに設けられ、支線２Ａ，２Ｂを構成している電線３，３……端の被覆を剥いで露出させた導体端部４，４，……を溶接等で一体化され、更に絶縁被覆部材７により覆われた複数のボンダー６Ａ，６Ｂを、専用の保持具２１に収容保持させるものである。
【００２５】
保持具２１は、図１〜図４に示すように、下方から挿入される複数個のボンダー６Ａ，６Ｂをその周囲に配置された複数の対向部材３１，３３，３５により挾持することによって一括して保持するボンダー挾持溝２３と、該ボンダー挾持溝２３の上を覆って上方からボンダー挾持溝２３内への水滴等の落下を防止する傘部２５とを備えた構造であり、絶縁性樹脂材料により一体形成されている。本実施形態では４つのボンダー挟持溝２３が形成されている。
【００２６】
複数の対向部材３１，３３，３５は、ボンダー６Ａ，６Ｂの挿入方向（図１で上下方向）に直交する水平方向に互いに対向している部材である。
【００２７】
本実施形態の場合、対向部材３１は、保持具２１の外側壁である。また、対向部材３３は保持具２１の外側壁によって周囲を囲われた空間内を複数に分割する仕切り壁であり、対向部材３５は前記傘部２５の下面に垂設された円柱状のピンである。この円柱状のピンはボンダー６Ａ，６Ｂを挟持したときにわずかに弾性変形することができる。
【００２８】
ボンダー挾持溝２３は、対向部材３１，３３，３５の内の何れか２つの対向部材、又は３つ以上の対向部材により挟まれる溝空間である。
【００２９】
図４では、２つのボンダー６Ａ，６Ｂを、２つのボンダー挟持溝２３内の４つの対向部材（円柱状のピン）３５により挟持した状態を示している。残りの２つのボンダー挟持溝２３内にも、同様に４つの対向部材（円柱状のピン）３５により他の２つのボンダーをそれぞれ挟持することができる。なお、このような挟持構成に代えて、２つのボンダー６Ａ，６Ｂを、対向部材３５（円柱状のピン）と対向部材３１（外側壁）、又は対向部材３５（円柱状のピン）と対向部材３３（仕切り壁）とによる挾持によって収容保持してもよい。
【００３０】
本実施形態場合、傘部２５は、外側壁としてボンダー挾持溝２３の周囲を周回する対向部材３１の上端に一体形成された天井壁である。
【００３１】
本実施形態の場合、保持具２１の外周面には、係止部材２７を設けている。
この係止部材２７は、対向部材３１を兼ねた外側壁の外面に突設したもので、互いに対向する２つの外側面の下端側に、それぞれ一対ずつ装備されている。
【００３２】
本実施の形態の場合、係止部材２７は、保持具の下端側から上方に向かって、徐々に外方への突出長が増大するテーパ面２７ａを有した係止突起である。
【００３３】
本実施形態のボンダー保持構造の場合、前述の保持具２１を連結固定する部品保持部材４１を用意している。
【００３４】
この部品保持部材４１は、図５に示すように、車両のワイヤハーネスの配索経路上に配置される樹脂製の部品収容箱で、保持具２１を収容する３個の保持具収容部４２と、接続試験用のコネクタを収容するコネクタ収容部４４とを具備した収容箱本体５１と、保持具収容部４２やコネクタ収容部４４の開口端を開閉するために収容箱本体５１の一端側にヒンジ結合された第１カバー部材５３と、収容箱本体５１の他端側を開閉可能に覆うべく収容箱本体５１の他端側にヒンジ結合された第２カバー部材５５とから構成されている。
【００３５】
部品保持部材４１の保持具収容部４２には、保持具２１を収容したときに、保持具２１上の係止部材２７を案内する係合用ガイド溝６１が装備されている。そして、この係合用ガイド溝６１には、保持具２１が保持具収容部４２内に適正に収容されたときに、係止部材２７に係合する係合手段（不図示）が設けられており、これらの係止部材２７と係合手段との係合により保持具２１が部品保持部材４１に連結固定される。
【００３６】
以上に説明した第１実施形態のボンダー保持構造では、ワイヤハーネスに設けられた複数個のボンダー６Ａ，６Ｂは、保持具２１に装備したボンダー挾持溝２３に挿入することにより、一括して対向部材３１，３３，３５に挾持され、保持される。
【００３７】
そして、保持具２１には、ボンダー挾持溝２３の上を覆う傘部２５が備えられており、ボンダー挾持溝２３内へ挿入された複数個のボンダー６Ａ，６Ｂは、保持具２１の上に落下してくる水滴等に対して、前記傘部２５により一括して防水される。
【００３８】
即ち、複数個のボンダー６Ａ，６Ｂは、個別に防水処理をしなくても、傘部２５により一括して防水性が確保されるため、ボンダー６Ａ，６Ｂの数が多い場合でも、防水処理に手間がかからず、短時間で簡単に処理することできる。
【００３９】
しかも、各ボンダー６Ａ，６Ｂを保持するボンダー挾持溝２３は、専用の保持具２１に装備されたもので、周辺の電気接続箱等に保持用の貫通孔を空ける必要が無くなるため、周辺の電気接続箱等の防水性に影響を及ぼすこともない。
【００４０】
以上のように、本実施形態のボンダー保持構造によれば、多数のボンダー６Ａ，６Ｂを安価に、且つ迅速に、防水性を備えた収容状態に固定処理することができる。
【００４１】
また、本実施形態のボンダー保持構造では、ボンダー６Ａ，６Ｂを収容保持した保持具２１は、保持具２１の外周面に設けた係止部材２７によって簡単に周辺の部品保持部材４１に連結固定することができ、ワイヤハーネスの配索経路の途中に保持具２１が宙づり状態に垂れ下がっているような不都合の発生を防止することができる。
【００４２】
（第２実施形態）
図６は本発明に係るボンダー保持構造で使用する保持具の第２実施形態の正面図、図７は図６に示した保持具２１の下面図、図８は図７のＣ−Ｃ断面図である。
【００４３】
この第２実施形態の保持具２２は、下方から挿入される複数個のボンダー６Ａ，６Ｂをその周囲に配置された複数の対向部材３１，３３，３５により挾持することによって一括して保持するボンダー挾持溝２３と、該ボンダー挾持溝２３の上を覆って上方からボンダー挾持溝２３内への水滴等の落下を防止する傘部２５とを備えた構造で、絶縁性樹脂材料により一体形成されている点は、第１実施形態の保持具２１と共通である。
【００４４】
また、複数の対向部材３１，３３，３５は、ボンダー６Ａ，６Ｂの挿入方向（図８で上下方向）に直交する水平方向に互いに対向している部材であり、対向部材３１は保持具２１の外側壁、対向部材３３は保持具２１の外側壁によって周囲を囲われた空間内を複数に分割する仕切り壁、対向部材３５は傘部２５の下面に垂設された円柱状のピンである構成も、前述の第１実施形態の保持具２１と共通である。
【００４５】
但し、この第２実施形態のボンダー保持構造では、ボンダー挾持溝２３が開口する保持具２２の下面側には、下方に延びる結束用軸部材７１を連設している。連結用軸部材７１には、仕切り壁としての対向部材３３が中央領域まで延在した壁部３３ａが設けられている。そして、図８にも示したように、ボンダー挾持溝２３に収容するボンダー６Ａ，６Ｂを有した支線２Ａ，２Ｂを、隣り合う壁部３３ａの間に収容し、結束バンドやテープ巻き等の結束手段７３によって結束用軸部材７１に結束固定する。
【００４６】
このようにボンダー挾持溝２３に保持されるボンダー６Ａ，６Ｂを結束用軸部材７１に結束固定しておくことで、保持具２２上でのボンダー６Ａ，６Ｂの保持強度が向上し、例えば、車両走行時の振動その他の要因によって、外部からワイヤハーネスの幹線や支線に張力や衝撃力が作用する場合でも、その張力や衝撃力によってボンダー６Ａ，６Ｂがボンダー挾持溝２３から抜け落ちることを防止でき、各ボンダー６Ａ，６Ｂを収容保持する性能の信頼性を向上させることができる。
【００４７】
なお、本発明のボンダー保持構造において、保持具２１，２２内に垂設する対向部材３５の形状は、上記実施の形態で示した円柱状のピン形状に限らない。例えば、対向部材３３のように、仕切り壁のような構造にしても良い。
【００４８】
また、各対向部材３１，３３，３５の具体的な装備数や、ボンダー挾持溝２３の具体的な装備数も、上記実施形態に限定するものではない。
【００４９】
また、上記実施形態は複数のボンダーを一括して収容保持する構成であるが、上記実施形態の構成により、ボンダーを一つだけ収容保持してもよいことは言うまでもない。
【００５０】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００５１】
【図１】本発明に係るボンダー保持構造で使用する保持具の第１実施形態の正面図である。
【図２】図１に示した保持具の平面図である。
【図３】図１のＡ矢視図である。
【図４】図２のＢ−Ｂ断面図である。
【図５】図１に示した保持具が連結固定される部品保持部材の構成を示す斜視図である。
【図６】本発明に係るボンダー保持構造で使用する保持具の第２実施形態の正面図である。
【図７】図６に示した保持具の下面図である。
【図８】図７のＣ−Ｃ断面図である。
【図９】（ａ）はワイヤハーネスの幹線から分岐した支線のボンダーに施された従来の防水構造と貫通孔による従来のボンダー保持構造の説明図、（ｂ）は（ａ）に示した貫通孔にボンダーを保持させた状態の縦断面図である。
【符号の説明】
【００５２】
２Ａ，２Ｂ  支線
６Ａ，６Ｂ  ボンダー
５Ａ，５Ｂ  集中接続端
２１  保持具
２２  保持具
２３  ボンダー挾持溝
２５  傘部
２７  係止部材
３１  対向部材（外側壁）
３３  対向部材（仕切り壁）
３５  対向部材（円柱状のピン）
４１  部品保持部材
４２  保持具収容部
４４  コネクタ収容部
５１  収容箱本体
５３  第１カバー部材
５５  第２カバー部材
６１  係合用ガイド溝
７１  結束用軸部材
７３  結束手段
【図１】
0005138456.tif 000002
【図２】
0005138456.tif 000003
【図３】
0005138456.tif 000004
【図４】
0005138456.tif 000005
【図５】
0005138456.tif 000006
【図６】
0005138456.tif 000007
【図７】
0005138456.tif 000008
【図８】
0005138456.tif 000009
【図９】
0005138456.tif 000010